(57)【特許請求の範囲】
【請求項１】
隣接する建造物間の目地に差し渡されて該目地を覆う複数のカバー体の一端を、一方の建造物の床側縁に乗載し、各カバー体の他端を自由端として、該自由端にその下面から外端上面に向けて傾斜する傾斜端縁を形成する一方、他方の建造物の床側縁に、前記傾斜端縁と同方向に傾斜する傾斜受面を外端に備えた摺動溝を設け、該摺動溝上に前記各カバー体の自由端を乗載してなる床用目地カバー装置において、
前記複数のカバー体のうち、目地のコーナー部以外に配設されるカバー体Ｃ１ ，Ｃ２の一端を一方の建造物の床側縁に揺動可能に連結するとともに、目地のコーナー部に配設される端部のカバー体Ｃ１ ’，Ｃ２ ’は、コーナー部を覆い得るように全体でＬ形を呈し、コーナー部の対角線に沿って左右一対に分割形成されており、分割された各カバー体Ｃ１ ’，Ｃ２ ’は、夫々隣り合う目地のコーナー部以外に配設されるカバー体Ｃ１ ，Ｃ２と、その対向する側縁をヒンジ結合を介して連結し、前記端部のカバー体Ｃ１ ’，Ｃ２ ’をその隣り合うカバー体Ｃ１ ，Ｃ２に対して傾動可能としたことを特徴とする床用目地カバー装置。
【請求項２】
隣接する建造物間の目地に差し渡されて該目地を覆う複数のカバー体の一端を、一方の建造物の床側縁に乗載し、各カバー体の他端を自由端として、該自由端にその下面から外端上面に向けて傾斜する傾斜端縁を形成する一方、他方の建造物の床側縁に、前記傾斜端縁と同方向に傾斜する傾斜受面を外端に備えた摺動溝を設け、該摺動溝上に前記各カバー体の自由端を乗載してなる床用目地カバー装置において、
前記複数のカバー体のうち、目地のコーナー部以外に配設されるカバー体Ｃ１ ，Ｃ２の一端を一方の建造物の床側縁に揺動可能に連結するとともに、目地のコーナー部に配設される端部のカバー体は、コーナー部を覆い得るようにＬ形に一体形成し、隣り合う目地のコーナー部以外に配設されるカバー体Ｃ１ ，Ｃ２の何れか一方に、その対向する側縁をヒンジ結合を介して連結し、前記端部のカバー体を隣り合うカバー体Ｃ１ ，Ｃ２のヒンジ結合された一方に対して傾動可能としたことを特徴とする床用目地カバー装置。
【発明の詳細な説明】
【０００１】
【発明の属する技術分野】
本発明は、隣接する建造物間の目地を覆う床用目地カバー装置に関する。
【０００２】
【従来の技術】
床用目地カバー装置にあって、特に、緩衝機能を備えた免震装置によって下部が支持された免震構造の建造物に適用される一般的な床用目地カバー装置は、図５イに示すように、免震構造の建造物ａの床側縁に、目地ｓを覆うカバー体ｃの一端を連結手段ｄを介して固定し、該カバー体ｃの他端を自由端ｅとして、該自由端ｅを人工地盤からなる他方の建造物ｂの床側縁上に摺動可能に乗載してなり、建造物ａ，ｂ間に左右方向（目地幅方向）及び前後方向（目地に沿う方向）の相対変位が生じた場合に、カバー体ｃの自由端ｅが建造物ｂの床側縁上を前後左右に摺動して、その相対変位に追従するようになっている。
【０００３】
ところで、かかる構成の目地カバー装置にあっては、カバー体ｃの上面ｇと、
建造物ｂの床面ｉとの間に、カバー体ｃの厚み分の段差ｈが生じるため、該段差ｈが通行の障害となり、特に、病院，公官庁等のような老人，障害者等が訪れる機会が多い建造物における使用には適さないという欠点があった。
【０００４】
そこで、図５ロに示すように、カバー体ｃの一端を、建造物ａの床側縁に連結手段ｄを介して揺動可能に連結し、該カバー体ｃの自由端ｅにその下面から外端上面に向けて傾斜する傾斜端縁ｊを形成する一方、建造物ｂの床側縁に、前記傾斜端縁ｊと同方向に傾斜する傾斜受面ｋを外端に備えた摺動溝ｍを設け、該摺動溝ｍ上に前記カバー体ｃの自由端ｅを乗載することにより、前記段差ｈが生じないようにした目地カバー装置が、特願平９ー２２１０８号，特願平９ー１４３２４６号等として本願出願人によって既に提案されている。
【０００５】
この目地カバー装置は、建造物ａ，ｂの左右方向（目地幅方向）の相対変位時にあって、建造物ａ，ｂが近接する方向に相対変位した場合に、カバー体ｃの傾斜端縁ｊが、摺動溝ｍの外端の傾斜受面ｋに沿ってずれ上り、連結手段ｄを支点としてカバー体ｃが傾動することにより、その相対変位から逃げ得るようになっている。
【０００６】
【発明が解決しようとする課題】
ところで、上記構成の目地カバー装置を、目地ｓのコーナー部に配設しようとする場合には、図６に示すように、カバー体ｃ１ とカバー体ｃ２ とをコーナー部に沿ってＬ形に配設し、該カバー体ｃ１ ，ｃ２ の一端を建造物ａの直交する床側縁に連結手段ｄ１ ，ｄ２ を介して揺動可能に夫々連結するとともに、カバー体ｃ１ ，ｃ２ の自由端ｅ１ ，ｅ２ を建造物ｂ側の直交する床側縁に設けた摺動溝ｍ１ ，ｍ２ に乗載することとなる。ところが、このような配設状態にあっては、例えば、カバー体ｃ１ 側の建造物ａ，ｂが近接する方向に相対変位した場合に、カバー体ｃ１ は、連結手段ｄ１ を支点として自由端ｅ１ が摺動溝ｍ１ の傾斜受面ｋ１ に沿ってずれ上り、その相対変位から逃げることができるものの、カバー体ｃ２ には、傾斜受面ｋ１ に直交する方向の傾動機能がないため、該カバー体ｃ２ が傾斜受面ｋ１ に衝当して破損してしまう。また、カバー体ｃ２ 側の建造物ａ，ｂが近接する方向に相対変位した場合にも、上記と同様の理由でカバー体ｃ１ が破損する。このため、目地ｓのコーナー部には、従来構成の目地カバー装置を適用することができないという問題点があった。
【０００７】
本発明は、かかる従来の問題点を解消し得る床用目地カバー装置の提供を目的とするものである。
【０００８】
【課題を解決するための手段】
本発明は、隣接する建造物間の目地に差し渡されて該目地を覆う複数のカバー体の一端を、一方の建造物の床側縁に乗載し、各カバー体の他端を自由端として、該自由端にその下面から外端上面に向けて傾斜する傾斜端縁を形成する一方、他方の建造物の床側縁に、前記傾斜端縁と同方向に傾斜する傾斜受面を外端に備えた摺動溝を設け、該摺動溝上に前記各カバー体の自由端を乗載してなる床用目地カバー装置において、前記複数のカバー体のうち、目地のコーナー部以外に配設されるカバー体の一端を一方の建造物の床側縁に揺動可能に連結するとともに、目地のコーナー部に配設される端部のカバー体と、該カバー体に隣り合うカバー体との対向する側縁をヒンジ結合を介して連結し、前記端部のカバー体をその隣り合うカバー体に対して傾動可能に設けたことを特徴とする床用目地カバー装置である。
ここで目地のコーナー部に配設される端部のカバー体は、コーナー部を覆い得るように全体でＬ形を呈し、コーナー部の対角線に沿って左右一対に分割形成されているようにすることができ、この場合には、分割された各カバー体Ｃ１ ’，Ｃ２ ’は、夫々隣り合う目地のコーナー部以外に配設されるカバー体Ｃ１ ，Ｃ２と、その対向する側縁をヒンジ結合を介して連結する。
また、目地のコーナー部に配設される端部のカバー体を、コーナー部を覆い得るようにＬ形に一体形成することもでき、この場合には、隣り合う、目地のコーナー部以外に配設されるカバー体Ｃ１ ，Ｃ２の何れか一方に、その対向する側縁をヒンジ結合を介して連結する。
【０００９】
かかる構成にあって、摺動溝上に乗載される各カバー体の自由端は、その上面を周囲の床面と略同一高さとすることができ、段差が生じない。また、端部のカバー体が、隣り合うカバー体に対してその側縁がヒンジ結合を介して傾動可能に連結されていることにより、地震時に、目地のコーナー部において、端部のカバー体の他側縁が、直交する位置関係にある傾斜受面に沿ってずれ上り、前記ヒンジ結合部を支点として端部のカバー体が傾動して、その相対変位から逃げることができる。
【００１０】
【発明の実施の形態】
以下に、本発明の一実施例を、図１〜図４について説明する。
図面において、Ａは緩衝機能を備えた免震装置（図示省略）によって下部が支持された免震構造の建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な変位を吸収し得るようになっている。ここで、図２は、建造物Ａの出隅部分が図示されており、該出隅部分に沿って目地ｓにＬ形のコーナー部ｐが生じている。
【００１１】
前記建造物Ｂの床側縁には、摺動受枠１ａ，１ｂが目地ｓに沿ってＬ形に配設されている。該摺動受枠１ａ，１ｂは、図１に示すように、水平受面２と該水平受面２の外端から建造物Ｂの床面ｆ２ に向けて上り勾配で傾斜する傾斜受面３とを備えており、この摺動受枠１ａ，１ｂを建造物Ｂの床側縁に設けられる摺動溝４としている。
【００１２】
また、建造物Ｂの側端には通水溝路５が連成されている。該通水溝路５は、その内側壁５’が建造物Ａの床側縁の下方に臨むように設けられており、該通水溝路５によって、上方から目地ｓ内に流入する雨水等を排水し得るようになっている。
【００１３】
建造物Ａと建造物Ｂとの間には、複数のカバー体Ｃ１ ，Ｃ２ が差し渡され、目地ｓを覆っている。ここで、図２に示すように、カバー体Ｃ１ は、一方向の目地ｓに沿って連続状に配設され、カバー体Ｃ２ は、コーナー部ｐを介してカバー体Ｃ１ に直交する方向の目地ｓに沿って連続状に配設されている。また、このように連続状に配設された各カバー体Ｃ１ ，Ｃ２ の側端に、目地ｓのコーナー部ｐに位置させて、端部のカバー体Ｃ１ ’，Ｃ２ ’が配設されている。この端部のカバー体Ｃ１ ’，Ｃ２ ’は、コーナー部ｐを覆い得るように全体でＬ形を呈し、コーナー部ｐの対角線に沿って左右一対に分割形成されている。そして、図３に拡大して示すように、一方のカバー体Ｃ１ ’と、これに隣り合うカバー体Ｃ１ との対向する側縁が複数のヒンジ６によるヒンジ結合を介して連結されており、また、他方のカバー体Ｃ２ ’と、これに隣り合うカバー体Ｃ２ との対向する側縁が前記と同様に複数のヒンジ６によるヒンジ結合を介して連結されている。これにより、カバー体Ｃ１ ’は隣り合うカバー体Ｃ１ に対して傾動可能となっており、また、カバー体Ｃ２ ’は隣り合うカバー体Ｃ２ に対して傾動可能となっている。
【００１４】
前記各カバー体Ｃ１ ，Ｃ１ ’，Ｃ２ ，Ｃ２ ’は、その一端が建造物Ａの床側縁に夫々乗載されており、さらに、目地ｓのコーナー部ｐ以外に配設される各カバー体Ｃ１ ，Ｃ２ の一端は、図１に示すように、建造物Ａの床側縁に後述の連結手段７を介して揺動可能に連結されている。また、各カバー体Ｃ１ ，Ｃ１ ’，Ｃ２ ，Ｃ２ ’の他端を自由端としており、該自由端が前記摺動溝４を構成する摺動受枠１ａ，１ｂの水平受面２上に摺動可能に夫々乗載されている。該自由端にはその下面から外端上面に向けて傾斜する傾斜端縁８が夫々形成されており、該傾斜端縁８は、前記摺動溝４の傾斜受面３と略同一勾配となっている。また、この自由端の乗載状態において、各カバー体Ｃ１ ，Ｃ１ ’，Ｃ２ ，Ｃ２ ’の上面９が建造物Ｂの床面ｆ２ と同一高さとなるようにしている。
【００１５】
また、前記自由端が乗載される水平受面２上には、上面にテフロンコーティング等の滑性面を形成した薄板状のパッキン１０が被着されており、該パッキン１０の滑性面によって、自由端の摺動が容易となるようにしている。
【００１６】
前記各カバー体Ｃ１ ，Ｃ１ ’，Ｃ２ ，Ｃ２ ’は、夫々外周を囲繞する周枠内にモルタル，タイル等からなる床仕上げ材１１が充填され、また、下部に複数のメインバー１２ａとクロスバー１２ｂとを格子状に組付けてなる剛性基枠１２（図３参照）を配設して構成されている。該剛性基枠１２はグレーチングとして一般に用いられているものと略同一の構造であり、この剛性基枠１２によって、カバー体Ｃ１ ，Ｃ１ ’，Ｃ２ ，Ｃ２ ’上にかかる荷重に耐え得る所定の強度を得るようにしている。尚、カバー体Ｃ１ ，Ｃ１ ’，Ｃ２ ，Ｃ２ ’は、所定の強度を備えたものであればよく、この内部構造に限定されるものではない。
【００１７】
図４は、前記連結手段７を示し、建造物Ａの床側縁に、目地ｓに沿って延在するように保持受枠体１３が配設されている。該保持受枠体１３は、水平受縁１３ａと垂直縁１３ｂとを備えた断面Ｌ形に形成されている。水平受縁１３ａの上面には、狭幅の平板状に形成された支持体１４が固着されており、その上面を、カバー体Ｃ１ ，Ｃ２ の下面に接触させて該カバー体Ｃ１ ，Ｃ２ を揺動可能に支持する支持縁１５としている。尚、該支持体１４を、カバー体Ｃ１ ，Ｃ２ の底板１７に固着させて、その下面を支持縁１５としてもよい。
【００１８】
さらに、前記保持受枠体１３の水平受縁１３ａには、その下面側から挿通して該水平受縁１３ａに固着したボルトからなる複数の連結杆１６が所定間隔で立設されている。各連結杆１６は、前記支持縁１５でカバー体Ｃ１ ，Ｃ２ の下面を支持した状態において、カバー体Ｃ１ ，Ｃ２ の底板１７に形成された挿通孔１８に遊嵌され、その上端にはナットからなるばね受部材１９が螺着されている。
また、各連結杆１６には、前記ばね受部材１９とカバー体Ｃ１ ，Ｃ２ の底板１７との間に介装するようにしてコイル状のばね２０が外嵌されており、該ばね２０によってカバー体Ｃ１ ，Ｃ２ を常時下方に付勢するようにしている。これにより、カバー体Ｃ１ ，Ｃ２ の一端が保持受枠体１３に対して揺動可能となっている。
【００１９】
これにより、連結手段７が構成され、該連結手段７によって各カバー体Ｃ１ ，Ｃ２ の一端が建造物Ａの床側縁に揺動可能に連結されている。また、この連結状態において、カバー体Ｃ１ ，Ｃ２ 及び端部のカバー体Ｃ１ ’，Ｃ２ ’の上面９が建造物Ａの床面ｆ１ と同一高さとなるようにしている。
【００２０】
尚、カバー体Ｃ１ ，Ｃ２ には、前記連結杆１６の上方に対応する位置に、ばね２０やばね受部材１９の取付け用操作口２１が開口され、該操作口２１を不使用時に遮蔽するキャップ２２が着脱自在に嵌着される。
【００２１】
かかる構成にあって、カバー体Ｃ１ ，Ｃ２ 及び端部のカバー体Ｃ１ ’，Ｃ２ ’は、その上面９を、建造物Ａの床面ｆ１ 及び建造物Ｂの床面ｆ２ と略面一になるようにして配設することができるので、常時は、図１に示すように、該カバー体Ｃ１ ，Ｃ２ 及び端部のカバー体Ｃ１ ’，Ｃ２ ’と、建造物Ａの床面ｆ１ 及び建造物Ｂの床面ｆ２ との間に段差が生じることがない。
【００２２】
また、図２にあって、地震時において、例えばカバー体Ｃ１ 側の建造物Ａと建造物Ｂとの左右方向（目地幅方向）の相対変位時に、該建造物Ａ，Ｂが近接する方向に相対変位すると、各カバー体Ｃ１ は、連結手段７により連結された一端を支点として、自由端に形成された傾斜端縁８が、摺動受枠１ａの傾斜受面３に沿ってずれ上がる。また、この時、端部のカバー体Ｃ１ ’は、隣り合うカバー体Ｃ１ にヒンジ６で連結されていることにより、該カバー体Ｃ１ に従動して、カバー体Ｃ１ ’の傾斜端縁８が摺動受枠１ａの傾斜受面３に沿ってずれ上がることとなる。而して、この時、他方の各カバー体Ｃ２ ，Ｃ２ ’は、その各自由端が摺動受枠１ｂの水平受面２上を摺動して、直交する位置関係にある前記摺動受枠１ａ側に相対的に移動することとなるのであるが、端部のカバー体Ｃ２ ’がヒンジ６を介して隣り合うカバー体Ｃ２ に傾動可能に連結されていることにより、該ヒンジ６を支点として、カバー体Ｃ２ ’の外側縁が、前記摺動受枠１ａの傾斜受面３に沿ってずれ上がり、その相対変位から逃げることができる。
【００２３】
一方、カバー体Ｃ１ 側の建造物Ａと建造物Ｂとが離れる方向に相対変位すると、各カバー体Ｃ１ ，Ｃ１ ’は、その各自由端が摺動受枠１ａの水平受面２上を、該摺動受枠１ａの傾斜受面３と逆方向に向けて水平に摺動してその相対変位に追従する。また、この時、他方の各カバー体Ｃ２ ，Ｃ２ ’は、その各自由端が摺動受枠１ｂの水平受面２上を上記と同方向に摺動してその相対変位に追従する。
【００２４】
また、カバー体Ｃ１ 側の建造物Ａと建造物Ｂとの前後方向（目地に沿う方向）の相対変位時にあっては、カバー体Ｃ１ ，Ｃ１ ’の各自由端が摺動受枠１ａの水平受面２上を前後方向に摺動するのであるが、該カバー体Ｃ１ ，Ｃ１ ’が直交する位置関係にある摺動受枠１ｂ側に相対的に移動すると、端部のカバー体Ｃ１ ’がヒンジ６を介して隣り合うカバー体Ｃ１ に傾動可能に連結されていることにより、該ヒンジ６を支点として、カバー体Ｃ１ ’の外側縁が、摺動受枠１ｂの傾斜受面３に沿ってずれ上がり、その相対変位から逃げることができる。また、この時、他方の各カバー体Ｃ２ ，Ｃ２ ’は、その各自由端の傾斜端縁８が、摺動受枠１ｂの傾斜受面３に沿ってずれ上がることとなり、その相対変位から逃げることができる。
【００２５】
そして、地震が終って建造物Ａと建造物Ｂとが定常位置に戻ると、これに伴なって各カバー体Ｃ１ ，Ｃ１ ’，Ｃ２ ，Ｃ２ ’の自由端が摺動受枠１ａ，１ｂの定常位置に夫々戻ることとなる。
【００２６】
これにより、目地ｓのコーナー部ｐを、端部のカバー体Ｃ１ ’，Ｃ２ ’によって支障なく覆うことができる。
【００２７】
また、免震構造の建造物Ａにあっては、隣接する建造物Ｂとの間に、地震時における上下方向の相対変位が殆ど生じないため、上下方向の追従機能を考慮する必要はないのであるが、仮に、建造物Ａと隣接する建造物Ｂとが上下方向に相対変位したとしても、各カバー体Ｃ１ ，Ｃ２ が連結手段７を支点として建造物Ａもしくは隣接する建造物Ｂの上下動に伴なって傾動し、かつ、端部のカバー体Ｃ１ ’，Ｃ２ ’も従動的に傾動するため、その相対変位に追従させることができる。
【００２８】
尚、上記実施例にあっては、目地ｓのコーナー部ｐを覆う端部のカバー体Ｃ１’，Ｃ２ ’を左右一対に分割形成しているが、このように分割することなくＬ形に一体形成し、隣り合うカバー体Ｃ１ ，Ｃ２ の何れか一方にヒンジ６を介して傾動可能に連結するようにしてもよい。
【００２９】
また、前記両実施例では、建造物Ａを、免震装置によって下部が支持された免震構造の建造物とし、建造物Ｂを、人工地盤としているが、この配置関係を逆にしてもよい。
【００３０】
【発明の効果】
本発明は、上述のように、隣接する建造物Ａ，Ｂ間の目地ｓに差し渡されて該目地ｓを覆う複数のカバー体Ｃ１ ，Ｃ１ ’，Ｃ２ ，Ｃ２ ’の自由端に、その下面から外端上面に向けて傾斜する傾斜端縁８を形成する一方、該自由端が乗載される建造物Ｂの床側縁に、前記傾斜端縁８と同方向に傾斜する傾斜受面３を外端に備えた摺動溝４が設けられる構成の床用目地カバー装置にあって、前記複数のカバー体Ｃ１ ，Ｃ１ ’，Ｃ２ ，Ｃ２ ’のうち、目地ｓのコーナー部ｐ以外に配設されるカバー体Ｃ１ ，Ｃ２ の一端を一方の建造物Ａの床側縁に揺動可能に連結するとともに、目地ｓのコーナー部ｐに配設される端部のカバー体Ｃ１ ’，Ｃ２ ’と、該カバー体Ｃ１ ’，Ｃ２ ’に隣り合うカバー体Ｃ１ ，Ｃ２ との対向する側縁をヒンジ結合を介して連結し、前記端部のカバー体Ｃ１ ’，Ｃ２ ’をその隣り合うカバー体Ｃ１ ，Ｃ２ に対して傾動可能に設けたものであるから、常時は、摺動溝４上に乗載される各カバー体Ｃ１ ，Ｃ１ ’，Ｃ２ ，Ｃ２ ’の自由端の上面９を、周囲の床面ｆ２ と略同一高さとすることができ、各自由端と周囲の床面ｆ２ との間に段差が生じることがない。また、地震時には、目地ｓのコーナー部ｐにおいて、端部のカバー体Ｃ１ ’，Ｃ２ ’が直交する位置関係にある傾斜受面３に沿ってずれ上り、その相対変位から逃げることができる等の優れた効果がある。
【図面の簡単な説明】
【図１】本発明に係る床用目地カバー装置の施工状態を示す側断面図である。
【図２】同上の平面図である。
【図３】ヒンジ結合部分の拡大断面図である。
【図４】連結手段部分の拡大断面図である。
【図５】従来構成の側断面図である。
【図６】従来構成の平面図である。
【符号の説明】
Ａ  建造物
Ｂ  建造物
Ｃ１ ，Ｃ２   カバー体
Ｃ１ ’，Ｃ２ ’端部のカバー体
ｓ  目地
ｐ  コーナー部
３  傾斜受面
４  摺動溝
６  ヒンジ
８  傾斜端縁
【図１】
0003942742.tif 000002
【図２】
0003942742.tif 000003
【図３】
0003942742.tif 000004
【図４】
0003942742.tif 000005
【図５】
0003942742.tif 000006
【図６】
0003942742.tif 000007